【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
少なくともその一部が耳孔部に挿入可能に構成されると共に、上記耳孔部への装着状態下においてその内部に外耳道と連接する略密閉な内部空間が形成されるように構成された装着部と、
上記装着部の上記内部空間内に配されて、上記耳孔部への装着状態下において装着者により発せられ上記外耳道を通じて伝播する発話音を収音する内部マイクロホンと、
上記内部マイクロホンによる収音信号に対して高域強調型のイコライジング処理を施すイコライジング処理部と、
上記装着部の上記内部空間内に配されたスピーカと、
上記装着部に対して設けられたマイクロホンによる収音信号に基づき、上記装着部の上記内部空間に伝播するノイズを低減するためのノイズキャンセリング音を上記スピーカより出力させるノイズキャンセリング処理部と
を備える耳孔装着型収音装置。
【請求項２】
上記ノイズキャンセリング処理部は、
上記装着部の外部音を収音するように配された外部マイクロホンによる収音信号に基づきフィードフォーワード方式によるノイズキャンセリング信号を生成し、当該ノイズキャンセリング信号に基づく上記ノイズキャンセリング音を上記スピーカより出力させる
請求項１に記載の耳孔装着型収音装置。
【請求項３】
上記ノイズキャンセリング処理部は、
上記装着部の上記内部空間内の音を収音するように配されたマイクロホンによる収音信号に基づきフィードバック方式によるノイズキャンセリング信号を生成し、当該ノイズキャンセリング信号に基づく上記ノイズキャンセリング音を上記スピーカより出力させる
請求項１に記載の耳孔装着型収音装置。
【請求項４】
上記ノイズキャンセリング処理部は、
上記内部マイクロホンによる収音信号に基づき上記フィードバック方式によるノイズキャンセリング信号を生成する
請求項３に記載の耳孔装着型収音装置。
【請求項５】
上記ノイズキャンセリング処理部は、
上記装着部の外部音を収音するように配された外部マイクロホンによる収音信号に基づきフィードフォーワード方式によるノイズキャンセリング信号を生成すると共に、上記装着部の上記内部空間内の音を収音するように配されたマイクロホンによる収音信号に基づきフィードバック方式によるノイズキャンセリング信号を生成し、それら２つのノイズキャンセリング信号に基づく上記ノイズキャンセリング音を上記スピーカより出力させる
請求項１に記載の耳孔装着型収音装置。
【請求項６】
上記装着部として、
上記装着者の一方の耳に対して装着されるべき第１の装着部と、他方の耳に対して装着されるべき第２の装着部とを有しており、
上記第１の装着部の上記内部空間内に対して上記内部マイクロホン、上記スピーカがそれぞれ第１の内部マイクロホン、第１のスピーカとしてそれぞれ配され、
上記ノイズキャンセリング処理部として、
上記第１の装着部側に対して設けられたマイクロホンによる収音信号に基づき、上記第１の装着部の上記内部空間に伝播するノイズを低減するための第１のノイズキャンセリング音を上記第１のスピーカより出力させる第１のノイズキャンセリング処理部を有すると共に、
上記第２の装着部の上記内部空間内に対して第２のスピーカが配置されており、
上記第２のスピーカより受話信号に基づく音声を出力させる第２の受話音出力部を備える
請求項１乃至請求項５の何れかに記載の耳孔装着型収音装置。
【請求項７】
上記第２の装着部側に対して設けられたマイクロホンによる収音信号に基づき、当該第２の装着部の上記内部空間に伝播するノイズを低減するための第２のノイズキャンセリング音を上記第２のスピーカより出力させる第２のノイズキャンセリング処理部を備える
請求項６に記載の耳孔装着型収音装置。
【請求項８】
入力される受話信号に基づく受話音声と上記ノイズキャンセリング処理部によるノイズキャンセリング音とを上記スピーカより出力させる音声出力処理部と、
上記受話信号に基づき、上記内部マイクロホンによる収音信号から、上記スピーカより出力された上記受話音の成分を除去する受話音除去処理部とを備える
請求項１乃至請求項７の何れかに記載の耳孔装着型収音装置。
【請求項９】
上記ノイズキャンセリング処理部によるノイズキャンセリング音のみが上記スピーカより出力される通話時モードと、
上記ノイズキャンセリング処理部によるノイズキャンセリング音と外部より入力される聴取用音声信号に基づく聴取用音声とが上記スピーカより出力される聴取時モードとの切り替えが行われるように制御を行う制御部を備える
請求項１乃至請求項８の何れかに記載の耳孔装着型収音装置。
【請求項１０】
上記装着部として、
上記装着者の一方の耳に対して装着されるべき第１の装着部と、他方の耳に対して装着されるべき第２の装着部とを有しており、
上記第１の装着部の上記内部空間内には、上記内部マイクロホン、上記スピーカとしてそれぞれ第１の内部マイクロホン、第１のスピーカが配され、
上記第２の装着部の上記内部空間内には、上記内部マイクロホン、上記スピーカとしてそれぞれ第２の内部マイクロホン、第２のスピーカが配され、
上記ノイズキャンセリング処理部として、
上記第１の装着部側に対して設けられたマイクロホンによる収音信号に基づき、上記第１の装着部の上記内部空間に伝播するノイズを低減するための第１のノイズキャンセリング音を上記第１のスピーカより出力させる第１のノイズキャンセリング処理部と、上記第２の装着部側に対して設けられたマイクロホンによる収音信号に基づき、上記第２の装着部の上記内部空間に伝播するノイズを低減するための第２のノイズキャンセリング音を上記第２のスピーカより出力させる第２のノイズキャンセリング処理部とを有すると共に、
上記第１の内部マイクロホンによる収音信号と上記第２の内部マイクロホンによる収音信号とに基づくビームフォーミング処理を行うビームフォーミング処理部を備える
請求項１に記載の耳孔装着型収音装置。
【請求項１１】
上記イコライジング処理部及び上記ノイズキャンセリング処理部が上記装着部の内部に設けられる
請求項１乃至請求項１０の何れかに記載の耳孔装着型収音装置。
【請求項１２】
上記内部マイクロホンによる収音信号に対してノイズゲート処理を施すノイズゲート処理部を備える
請求項１乃至請求項１１の何れかに記載の耳孔装着型収音装置。
【請求項１３】
上記内部マイクロホンによる収音信号に対してコンプレッサ処理を施すコンプレッサ処理部を備える
請求項１乃至請求項１２の何れかに記載の耳孔装着型収音装置。
【請求項１４】
少なくともその一部が耳孔部に挿入可能に構成されると共に、上記耳孔部への装着状態下においてその内部に外耳道と連接する略密閉な内部空間が形成されるように構成された装着部の上記内部空間内に配されて、上記耳孔部への装着状態下において装着者により発せられ上記外耳道を通じて伝播する発話音を収音する内部マイクロホンによる収音信号に対して、高域強調型のイコライジング処理を施すイコライジング処理部と、
上記装着部に対して設けられたマイクロホンによる収音信号に基づき、上記装着部の上記内部空間に伝播するノイズを低減するためのノイズキャンセリング音を上記装着部の上記内部空間内に配されたスピーカより出力させるノイズキャンセリング処理部と
を有する信号処理装置。
【請求項１５】
少なくともその一部が耳孔部に挿入可能に構成されると共に、上記耳孔部への装着状態下においてその内部に外耳道と連接する略密閉な内部空間が形成されるように構成された装着部の上記内部空間内に配された内部マイクロホンによって、上記耳孔部への装着状態下において装着者により発せられ上記外耳道を通じて伝播する発話音を収音する収音し、且つ、上記装着部に対して設けられたマイクロホンによる収音信号に基づき、上記装着部の上記内部空間に伝播するノイズを低減するためのノイズキャンセリング音を上記装着部の上記内部空間内に配されたスピーカより出力させる収音・ノイズキャンセリング処理手順と、
上記収音・ノイズキャンセリング処理手順によって上記内部マイクロホンより得られる収音信号に対して、高域強調型のイコライジング処理を施すイコライジング処理手順と
を有する収音方法。